【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
患者における深部静脈血栓（ＤＶＴ）を予防するためのデバイスであって、前記デバイスは、
前記患者の脚を覆って適合するように構成されたカフと、
前記カフの内面に結合された圧平装置であって、前記圧平装置は、湾曲形状を有する組織接触面を有し、前記組織接触面は、前記脚の表面に圧力を加え、前記脚内の深部静脈を圧迫するように構成されている、圧平装置と、
前記圧平装置に力を加えるために前記圧平装置に結合された拡張デバイスと
を備え、
前記拡張デバイスが拡張されると、前記拡張デバイスは、前記圧平装置に力を加え、前記力は、前記圧平装置の前記組織接触面によって前記脚の前記表面に伝達され、前記深部静脈が圧迫され、前記深部静脈を通した血流を最小化することを引き起こす、デバイス。
【請求項２】
前記カフは、弾性またはエラストマ材料を備え、前記弾性またはエラストマ材料は、前記患者の脚を覆って適合するように伸び、次いで、収縮し、前記カフを定位置に保持するように構成されている、請求項１に記載のＤＶＴ予防デバイス。
【請求項３】
前記カフは、締め付け手段を含み、前記締め付け手段は、前記カフが前記ユーザの脚の周囲に巻き付けられ、次いで、前記締め付け手段を使用してそれ自体に締め付けられることを可能にし、オプション的に、前記締め付け手段は、前記カフの第１および第２の部分を備え、前記カフの前記第１および第２の部分は、それぞれ、ＶＥＬＣＲＯ（登録商標）フックおよびＶＥＬＣＲＯ（登録商標）締め具を備えている、請求項１に記載のＤＶＴ予防デバイス。
【請求項４】
前記拡張デバイスは、拡張可能部材、好ましくは、拡張可能バルーンである、請求項１に記載のＤＶＴ予防デバイス。
【請求項５】
前記拡張可能部材に流体的に結合された圧力源をさらに備え、オプション的に、前記圧力源は、好ましくは、ポンプ、空気圧ポンプ、または機械的ポンプである、請求項４に記載のＤＶＴ予防デバイス。
【請求項６】
前記拡張可能部材内の圧力を測定するために、前記拡張可能部材または前記圧力源のうちの少なくとも１つに流体的に結合された圧力センサをさらに備えている、請求項４または５のいずれかに記載のＤＶＴ予防デバイス。
【請求項７】
前記拡張可能部材内の圧力を維持および／または解放するために、前記拡張可能部材に流体的に結合された弁をさらに備えている、請求項４または５のいずれかに記載のＤＶＴ予防デバイス。
【請求項８】
前記拡張デバイスは、電気デバイス、圧電デバイス、またはソレノイドを備えている、請求項１に記載のＤＶＴ予防デバイス。
【請求項９】
前記拡張デバイスに動作可能に結合されたコントローラをさらに備え、前記コントローラは、前記拡張デバイスの拡張を制御するように構成され、オプション的に、前記コントローラは、前記拡張デバイスの拡張を制御するためのモジュールを含み、および／または、送信機は、信号を外部デバイスに送信および受信するために、前記コントローラに動作可能に結合されている、請求項１に記載のＤＶＴ予防デバイス。
【請求項１０】
前記送信機は、ＲＦ送信機またはＢＬＵＥＴＯＯＴＨ（登録商標）応答機である、請求項９に記載のＤＶＴ予防デバイス。
【請求項１１】
前記カフに結合され、前記カフと前記拡張デバイスとの間に位置付けられた支持構造をさらに備え、前記支持構造は、前記拡張デバイスによって生成された力を前記圧平装置上に内向きに向けるように構成され、オプション的に、前記支持構造は、前記拡張デバイスによって生成された力を前記圧平装置上に内向きに向けるように構成された堅さを有する、請求項１に記載のＤＶＴ予防デバイス。
【請求項１２】
前記カフは、前記患者の膝を覆って位置付けられるように構成され、前記圧平装置は、前記カフ上に位置しており、前記カフが前記膝にかぶせられると、前記膝の後面を覆って位置付けられる、請求項１に記載のＤＶＴ予防デバイス。
【請求項１３】
前記デバイスは、大腿静脈、総大腿静脈、膝窩静脈、または脛骨静脈のうちの少なくとも１つを圧迫するように構成されている、請求項１に記載のＤＶＴ予防デバイス。
【請求項１４】
前記圧平装置は、前記脚の前記表面に力を加えることにより、前記深部静脈を実質的に平坦にするように構成されている、請求項１に記載のＤＶＴ予防デバイス。
【請求項１５】
前記デバイスは、前記患者が歩行活動に従事しているときに機能するように構成され、前記歩行活動は、ウォーキングまたはランニングである、請求項１に記載のＤＶＴ予防デバイス。
【手続補正２】
【補正対象書類名】明細書
【補正対象項目名】００３９
【補正方法】変更
【補正の内容】
【００３９】
深部静脈予防デバイス、装置、およびシステムのこれらおよび他の実施形態のさらなる詳細が、添付される図を参照して下でより完全に説明される。
本願明細書は、例えば、以下の項目も提供する。
（項目１）
患者における深部静脈血栓（ＤＶＴ）を予防するためのデバイスであって、前記デバイスは、
前記患者の脚を覆って適合するように構成されたカフと、
前記カフの内面に結合された圧平装置であって、前記圧平装置は、湾曲形状を有する組織接触面を有し、前記組織接触面は、前記脚の表面に圧力を加え、前記脚内の深部静脈を圧迫するように構成されている、圧平装置と、
前記圧平装置に力を加えるために前記圧平装置に結合された拡張デバイスと
を備え、
前記拡張デバイスが拡張されると、前記拡張デバイスは、前記圧平装置に力を加え、前記力は、前記圧平装置の前記組織接触面によって前記脚の前記表面に伝達され、前記深部静脈が圧迫され、前記深部静脈を通した血流を最小化することを引き起こす、デバイス。
（項目２）
前記カフは、弾性またはエラストマ材料を備え、前記弾性またはエラストマ材料は、前記患者の脚を覆って適合するように伸び、次いで、収縮し、前記カフを定位置に保持するように構成されている、項目１に記載のＤＶＴ予防デバイス。
（項目３）
前記カフは、締め付け手段を含み、前記締め付け手段は、前記カフが前記ユーザの脚の周囲に巻き付けられ、次いで、前記締め付け手段を使用してそれ自体に締め付けられることを可能にする、項目１に記載のＤＶＴ予防デバイス。
（項目４）
前記締め付け手段は、前記カフの第１および第２の部分を備え、前記カフの前記第１および第２の部分は、それぞれ、ＶＥＬＣＲＯ（登録商標）フックおよびＶＥＬＣＲＯ（登録商標）締め具を備えている、項目３に記載のＤＶＴ予防デバイス。
（項目５）
前記拡張デバイスは、拡張可能部材である、項目１に記載のＤＶＴ予防デバイス。
（項目６）
前記拡張可能部材は、拡張可能バルーンである、項目５に記載のＤＶＴ予防デバイス。
（項目７）
前記拡張可能部材に流体的に結合された圧力源をさらに備えている、項目５に記載のＤＶＴ予防デバイス。
（項目８）
前記圧力源は、ポンプ、空気圧ポンプ、または機械的ポンプである、項目７に記載のＤＶＴ予防デバイス。
（項目９）
前記拡張可能部材内の圧力を測定するために、前記拡張可能部材または前記圧力源のうちの少なくとも１つに流体的に結合された圧力センサをさらに備えている、項目５または７のいずれかに記載のＤＶＴ予防デバイス。
（項目１０）
前記拡張可能部材内の圧力を維持および／または解放するために、前記拡張可能部材に流体的に結合された弁をさらに備えている、項目５または７のいずれかに記載のＤＶＴ予防デバイス。
（項目１１）
前記拡張デバイスは、電気デバイス、圧電デバイス、またはソレノイドを備えている、項目１に記載のＤＶＴ予防デバイス。
（項目１２）
前記拡張デバイスに動作可能に結合されたコントローラをさらに備え、前記コントローラは、前記拡張デバイスの拡張を制御するように構成されている、項目１に記載のＤＶＴ予防デバイス。
（項目１３）
前記コントローラは、前記拡張デバイスの拡張を制御するためのモジュールを含む、項目１２に記載のＤＶＴ予防デバイス。
（項目１４）
信号を外部デバイスに送信および受信するために、前記コントローラに動作可能に結合された送信機をさらに備えている、項目１２に記載のＤＶＴ予防デバイス。
（項目１５）
前記送信機は、ＲＦ送信機またはＢＬＵＥＴＯＯＴＨ（登録商標）応答機である、項目１４に記載のＤＶＴ予防デバイス。
（項目１６）
前記送信機または前記コントローラのうちの少なくとも１つは、前記外部デバイスから信号を送信および受信するためにＢＬＵＥＴＯＯＴＨ（登録商標）プロトコルを使用するように構成されている、項目１４に記載のＤＶＴ予防デバイス。
（項目１７）
前記外部デバイスは、携帯電話またはタブレットである、項目１４に記載のＤＶＴ予防デバイス。
（項目１８）
前記カフに結合され、前記カフと前記拡張デバイスとの間に位置付けられた支持構造をさらに備え、前記支持構造は、前記拡張デバイスによって生成された力を前記圧平装置上に内向きに向けるように構成されている、項目１に記載のＤＶＴ予防デバイス。
（項目１９）
前記支持構造は、前記拡張デバイスによって生成された力を前記圧平装置上に内向きに向けるように構成された堅さを有する、項目１８に記載のＤＶＴ予防デバイス。
（項目２０）
前記カフは、前記患者の膝を覆って位置付けられるように構成され、前記圧平装置は、前記カフ上に位置しており、前記カフが前記膝にかぶせられると、前記膝の後面を覆って位置付けられる、項目１に記載のＤＶＴ予防デバイス。
（項目２１）
前記デバイスは、大腿静脈、総大腿静脈、膝窩静脈、または脛骨静脈のうちの少なくとも１つを圧迫するように構成されている、項目１に記載のＤＶＴ予防デバイス。
（項目２２）
前記圧平装置は、前記脚の前記表面に力を加えることにより、前記深部静脈を実質的に平坦にするように構成されている、項目１に記載のＤＶＴ予防デバイス。
（項目２３）
前記デバイスは、前記患者が歩行活動に従事しているときに機能するように構成されている、項目１に記載のＤＶＴ予防デバイス。
（項目２４）
前記歩行活動は、ウォーキングまたはランニングである、項目２３に記載のＤＶＴ予防デバイス。
（項目２５）
患者における深部静脈血栓（ＤＶＴ）を予防するためのデバイスであって、前記デバイスは、
前記患者の脚を覆って適合するように構成されたカフと、
前記カフの内面に結合された圧平装置であって、前記圧平装置は、湾曲形状を有する組織接触面を有し、前記組織接触面は、前記脚の表面に圧力を加え、前記脚内の深部静脈を圧迫するように構成されている、圧平装置と、
前記圧平装置に力を加えるために前記圧平装置に結合された拡張可能部材と、
前記膨張可能部材を膨張させるために前記拡張可能部材に流体的に結合された圧力源と、
前記拡張可能部材または前記圧力源のうちの少なくとも１つに流体的に結合された弁と、
前記圧力源または前記弁のうちの少なくとも１つに動作可能に結合されたコントローラと
を備え、
前記コントローラは、前記拡張可能部材の膨張を制御するように構成され、
前記拡張可能部材が拡張されると、前記拡張可能部材は、前記圧平装置に力を加え、前記力は、前記圧平装置の前記組織接触面によって前記脚の前記表面に伝達され、前記深部静脈が圧迫され、前記深部静脈を通した血流を最小化することを引き起こす、デバイス。
（項目２６）
前記デバイスは、大腿静脈、総大腿静脈、膝窩静脈、または脛骨静脈のうちの少なくとも１つを圧迫するように構成されている、項目２５に記載のＤＶＴ予防デバイス。
（項目２７）
前記コントローラまたは前記圧力源のうちの少なくとも１つに動作可能に結合された電源をさらに備えている、項目２５に記載のＤＶＴ予防デバイス。
（項目２８）
前記電源は、電気化学バッテリ、リチウムバッテリ、またはリチウムイオンバッテリである、項目２７に記載のＤＶＴ予防デバイス。
（項目２９）
信号を外部デバイスに送信および受信するために、前記コントローラに動作可能に結合された送信機をさらに備えている、項目２５に記載のＤＶＴ予防デバイス。
（項目３０）
前記外部デバイスは、携帯電話またはタブレットデバイスである、項目２９に記載のＤＶＴ予防デバイス。
（項目３１）
前記送信機は、前記外部デバイスから信号を送信および受信するためにＢＬＵＥＴＯＯＴＨ（登録商標）プロトコルを使用するように構成されている、項目２９に記載のＤＶＴ予防デバイス。
（項目３２）
前記送信機は、ＢＬＵＥＴＯＯＴＨ（登録商標）応答機を備えている、項目３１に記載のＤＶＴ予防デバイス。
（項目３３）
前記送信機は、ＲＦ送信機を備えている、項目２９に記載のＤＶＴ予防デバイス。
（項目３４）
前記圧力源は、ポンプ、空気圧ポンプ、機械的ポンプ、または圧縮ガス源である、項目２５に記載のＤＶＴ予防デバイス。
（項目３５）
前記拡張可能部材内または前記圧力源の圧力を測定するために、前記拡張可能部材または前記圧力源のうちの少なくとも１つに流体的に結合された圧力センサをさらに備えている、項目２５に記載のＤＶＴ予防デバイス。
（項目３６）
前記コントローラは、少なくとも１つのソフトウェアモジュールを備えている、項目２５に記載のＤＶＴ予防デバイス。
（項目３７）
前記少なくとも１つのソフトウェアモジュールは、前記拡張可能部材の膨張を制御するためのモジュールを備えている、項目３６に記載のＤＶＴ予防デバイス。
（項目３８）
前記膨張制御モジュールは、ポンプ駆動装置または弁駆動装置のうちの少なくとも１つを含む、項目３７に記載のＤＶＴ予防デバイス。
（項目３９）
前記少なくとも１つのソフトウェアモジュールは、バッテリ充電レベルを監視すること、またはバッテリを充電することを行うための電力制御モジュールを備えている、項目３６に記載のＤＶＴ予防デバイス。
（項目４０）
前記少なくとも１つのソフトウェアモジュールは、外部デバイスとの無線通信を制御するための通信モジュールを備えている、項目３６に記載のＤＶＴ予防デバイス。
（項目４１）
前記コントローラは、あるサイクルに従って前記膨張デバイスを膨張させるように構成されている、項目２５に記載のＤＶＴ予防デバイス。
（項目４２）
前記サイクルは、ｉ）断続的膨張の期間、ｉｉ）一定膨張の保持期間、および、ｉｉｉ）膨張が殆どまたは全くない弛緩期間を含む、項目４１に記載のＤＶＴ予防デバイス。
（項目４３）
前記断続的膨張の前記期間は、前記膨張デバイスへの一連の圧力パルスを含む、項目４２に記載のＤＶＴ予防デバイス。
（項目４４）
患者における深部静脈血栓（ＤＶＴ）を予防するためのデバイスであって、前記デバイスは、
前記患者の脚を覆って適合するように構成されたカフと、
前記カフの内面に結合された圧平装置であって、前記圧平装置は、湾曲形状を有する組織接触面を有し、前記組織接触面は、前記脚の表面に圧力を加え、前記脚内の深部静脈を圧迫するように構成されている、圧平装置と、
前記圧平装置に力を加えるために前記圧平装置に結合された拡張デバイスであって、前記拡張デバイスが拡張されると、前記拡張デバイスは、前記圧平装置に力を加え、前記力は、前記圧平装置の組織接触面によって前記脚の前記表面に伝達され、前記深部静脈が圧迫され、前記深部静脈を通した血流を最小化することを引き起こす、拡張デバイスと、
前記拡張デバイスに動作可能に結合されたコントローラであって、前記コントローラは、前記拡張デバイスの拡張を制御するように構成されている、コントローラと、
信号を外部デバイスに送信および受信するために、前記コントローラに動作可能に結合された送信機と
を備えている、デバイス。
（項目４５）
患者における深部静脈血栓の予防のためのシステムであって、前記システムは、
項目４５に記載の前記ＤＶＴ予防デバイスと、
前記ＤＶＴ予防デバイスと通信するように構成された外部デバイスと
を備えている、システム。
（項目４６）
前記外部デバイスは、前記拡張デバイスの膨張に関連付けられたパラメータを無線で調節するためのソフトウェアモジュールを含む、項目４５に記載のＤＶＴ予防システム。
（項目４７）
前記パラメータは、膨張圧力、膨張時間、または膨張の間の間隔のうちの少なくとも１つである、項目４６に記載のＤＶＴ予防システム。
（項目４８）
前記外部デバイスは、携帯電話またはタブレットデバイスを備えている、項目４５に記載のＤＶＴ予防システム。
（項目４９）
前記外部デバイスは、前記拡張デバイスの膨張に関連付けられたパラメータを表示するように構成されている、項目４５に記載のＤＶＴ予防システム。
（項目５０）
前記外部デバイスは、ユーザが前記膨張パラメータを調節することを可能にするように構成されている、項目４９に記載のＤＶＴ予防システム。
（項目５１）
前記膨張パラメータは、膨張圧力、膨張時間、または膨張サイクルにおける残り時間のうちの少なくとも１つである、項目４９に記載のＤＶＴ予防システム。
（項目５２）
患者における深部静脈血栓（ＤＶＴ）を予防する方法であって、前記方法は、圧平装置からの力を前記患者の脚の表面に加え、前記脚内の深部静脈を圧迫し、前記深部静脈を通した血流を最小化することを含み、前記力は、圧迫サイクルにおいて加えられ、前記圧迫サイクルは、
ｉ）一連の力パルスを含むパルス期間であって、前記一連の力パルスは、前記パルスの間に弛緩の間隔を伴う、パルス期間、
ｉｉ）一定加力の保持期間、および、
ｉｉｉ）加力が殆どまたは全くない弛緩期間
を含み、
前記サイクルが完了すると、延長された期間にわたって、前記圧迫された静脈内の血液速度は、加力に先立つ前記圧迫された静脈内の血液速度と比較して、少なくとも約１００％だけ上昇したままである、方法。
（項目５３）
前記力は、圧平装置から加えられる、項目５２に記載の方法。
（項目５４）
前記圧平装置は、カフの内面上に位置付けられており、前記方法は、前記圧平装置が前記選択された深部静脈を覆って位置付けられるように、前記患者の脚の一部を覆って前記カフを位置付けることをさらに含む、項目５２に記載の方法。
（項目５５）
前記パルス期間は、約１〜２０秒の範囲内である、項目５２に記載の方法。
（項目５６）
前記弛緩間隔は、約１〜２０秒の範囲内である、項目５２に記載の方法。
（項目５７）
前記保持期間は、約１〜５分の範囲内である、項目５２に記載の方法。
（項目５８）
前記一連の力パルスは、５つのパルスを含む、項目５２に記載の方法。
（項目５９）
前記圧迫サイクルを繰り返すことをさらに含む、項目５２に記載の方法。
（項目６０）
前記圧迫サイクルは、少なくとも２回繰り返される、項目６０に記載の方法。
（項目６１）
前記深部静脈は、大腿静脈、総大腿静脈、膝窩静脈、後脛骨静脈、前脛骨静脈、または腓骨静脈である、項目５２に記載の方法。
（項目６２）
前記延長された期間は、少なくとも約１５分である、項目５２に記載の方法。
（項目６３）
前記延長された期間は、最大約１時間である、項目５２に記載の方法。
（項目６４）
前記血液速度は、少なくとも約２００％だけ増加させられる、項目５２に記載の方法。
（項目６５）
前記血液速度は、少なくとも約３００％だけ増加させられる、項目５２に記載の方法。
（項目６６）
前記血液速度は、約４８４〜５０６％の範囲内で増加させられる、項目５２に記載の方法。
（項目６７）
前記血液速度は、約３５５〜６３３％の範囲内で増加させられる、項目５２に記載の方法。
（項目６８）
前記血液速度は、ピーク速度である、項目５２に記載の方法。
（項目６９）
前記血液速度の増加は、前記患者の膝が曲げられているときに起こる、項目５２に記載の方法。
（項目７０）
前記血液速度の増加は、前記患者の膝が真っ直ぐであるときに起こる、項目５２に記載の方法。
（項目７１）
ＤＶＴによって引き起こされる塞栓の発生が、予防される、項目５２に記載の方法。
（項目７２）
ＤＶＴによって引き起こされる肺塞栓の発生が、予防される、項目７１に記載の方法。
（項目７３）
前記圧迫サイクルは、前記患者が歩行活動に従事しているときに実施される、項目５２に記載の方法。
（項目７４）
前記歩行活動は、ウォーキングまたはランニングである、項目７３に記載の方法。
（項目７５）
前記圧平装置からの前記加えられる力は、前記圧迫された静脈内の静脈弁を損傷させない、項目５２に記載の方法。
（項目７６）
前記圧平装置からの前記加えられる力は、前記選択された脚内の静脈弁を損傷させない、項目５２に記載の方法。
（項目７７）
患者における深部静脈血栓（ＤＶＴ）を予防する方法であって、前記方法は、圧平装置からの力を前記患者の脚の表面に加え、前記脚内の深部静脈を圧迫し、前記深部静脈を通した血流を最小化することを含み、
前記力は、一連の力パルスにおいて加えられ、前記一連の力パルスは、前記パルスの間に弛緩の間隔を伴い、
前記一連の力パルスが完了すると、前記圧迫された静脈内の血液速度は、加力に先立つ前記圧迫された静脈内の血液速度と比較して、約２８１〜４８３％の範囲内で上昇させられている、方法。
（項目７８）
前記圧迫サイクルは、前記患者が歩行活動に従事しているときに実施される、項目７７に記載の方法。
（項目７９）
患者において深部静脈血栓（ＤＶＴ）を予防する方法であって、前記方法は、圧平装置からの力を前記患者の脚の表面に加え、前記脚内の深部静脈を圧迫し、前記深部静脈を通した血流を最小化することを含み、前記力は、圧迫サイクルにおいて加えられ、前記圧迫サイクルは、
ｉ）一連の力パルスを含むパルス期間であって、前記一連の力パルスは、前記パルスの間に弛緩の間隔を伴う、パルス期間、
ｉｉ）一定加力の保持期間、および、
ｉｉｉ）加力が殆どまたは全くない弛緩期間
を含み、
前記サイクルが完了すると、前記圧迫された静脈内の血液速度は、延長された期間にわたって上昇したままである、方法。
（項目８０）
前記血液速度の上昇は、加力に先立つ前記圧迫された静脈内の血液速度と比較して、少なくとも約１００％分である、項目７９に記載の方法。
（項目８１）
前記延長された期間は、少なくとも約１５分である、項目７９に記載の方法。
（項目８２）
前記延長された期間は、最大約１時間である、項目７９に記載の方法。
（項目８３）
前記圧迫サイクルは、前記患者が歩行身体活動に従事しているときに実施される、項目７９に記載の方法。
（項目８４）
前記圧平装置からの前記加えられる力は、前記圧迫された静脈内の静脈弁を損傷させない、項目７９に記載の方法。
（項目８５）
前記圧平装置からの前記加えられる力は、前記選択された脚内の静脈弁を損傷させない、項目７９に記載の方法。
（項目８６）
患者の静脈系内の血流を増加させる方法であって、前記方法は、圧平装置からの力を前記患者の付属器官の表面に加え、前記付属器官内の少なくとも１つの静脈を圧迫し、前記少なくとも１つの静脈を通した血流を最小化することを含み、前記力は、圧迫サイクルにおいて加えられ、
前記圧迫サイクルは、
ｉ）一連の力パルスを含むパルス期間であって、前記一連の力パルスは、前記パルスの間に弛緩の間隔を伴う、パルス期間、
ｉｉ）一定加力の保持期間、および、
ｉｉｉ）加力が殆どまたは全くない弛緩期間
を含み、
前記サイクルが完了すると、前記少なくとも１つの圧迫された静脈内の血液速度は、延長された期間にわたって上昇したままである、方法。
（項目８７）
前記血液速度の上昇は、加力に先立つ前記少なくとも１つの圧迫された静脈内の血液速度と比較して、少なくとも約１００％分である、項目８６に記載の方法。
（項目８８）
前記延長された期間は、少なくとも約１５分である、項目８６に記載の方法。
（項目８９）
前記延長された期間は、最大約１時間である、項目８６に記載の方法。
（項目９０）
前記付属器官は、脚である、項目８６に記載の方法。
（項目９１）
前記少なくとも１つの静脈は、深部静脈、大腿静脈、総大腿静脈、膝窩静脈、後脛骨静脈、前脛骨静脈、または腓骨静脈である、項目９０に記載の方法。
（項目９２）
前記増加させられた血流は、生理学的利益を生む、項目８６に記載の方法。
（項目９３）
前記生理学的利益は、深部静脈血栓の予防である、項目８６に記載の方法。
（項目９４）
前記生理学的利益は、肺塞栓の予防である、項目８６に記載の方法。
（項目９５）
前記生理学的利益は、前記患者の心臓への増加させられた静脈還流である、項目８６に記載の方法。
（項目９６）
前記生理学的利益は、増加させられた心拍出量である、項目８６に記載の方法。